(57)【要約】【課題】画像読取装置において、画像情報の読取精度を低下させずに、原稿を押さえる原稿押さえ部を退避させた際に生じる原稿のズレを抑制する。【解決手段】画像読取装置１の原稿押さえ部２０は、載置板１１に載置された原稿Ｍを押さえる押さえ位置Ｐ１と当該押さえ位置Ｐ１から退避した退避位置Ｐ２とに移動する。原稿押さえ部２０は、押さえ部本体２１に取り付けられ原稿Ｍに当接する複数の当接部（可動当接部２２及び固定当接部２３，２４）を有し、原稿押さえ部２０が押さえ位置Ｐ１にあるとき、複数の当接部のうち互いに隣接する２つの当接部が、原稿Ｍに対向する方向でオーバーラップして、載置台１０と平行な面を形成する。複数の当接部のうち少なくとも１つの当接部は、原稿押さえ部２０が押さえ位置Ｐ１から退避位置Ｐ２へ移動する際に、押さえ部本体２１が所定量退避するまで移動を開始しないように押さえ部本体２１に対して移動可能に取り付けられている可動当接部２２である。【選択図】図５
2020017896.tif 000002
【特許請求の範囲】
【請求項１】
原稿が載置される載置板を有する載置台と、
前記載置板に載置された前記原稿を押さえる押さえ位置と当該押さえ位置から退避した退避位置とに移動する原稿押さえ部と、
前記載置板を介して前記原稿へ光を照射するとともに前記載置板を介して前記原稿からの反射光を受光することで前記原稿から画像情報を読取る読取部とを備え、
前記原稿押さえ部は、押さえ部本体と、当該押さえ部本体に取り付けられ前記原稿に当接する複数の当接部とを有し、
前記原稿押さえ部が前記押さえ位置にあるとき、前記複数の当接部のうち互いに隣接する２つの当接部が前記原稿に対向する方向でオーバーラップして、前記載置台と平行な面を形成し、
前記複数の当接部のうち少なくとも１つの当接部は、前記原稿押さえ部が前記押さえ位置から前記退避位置へ移動する際に、前記押さえ部本体が所定量退避するまで移動を開始しないように前記押さえ部本体に対して移動可能に取り付けられている可動当接部である
ことを特徴とする画像読取装置。
【請求項２】
前記原稿押さえ部は、一端を前記可動当接部に連結された連結アームを更に有し、
前記連結アームの他端には、膨出部が設けられ、
前記押さえ部本体には、前記膨出部を移動可能に収容する収容部が設けられている
ことを特徴とする請求項１記載の画像読取装置。
【請求項３】
前記可動当接部は、前記連結アームの前記一端に回動可能に連結されている
ことを特徴とする請求項２記載の画像読取装置。
【請求項４】
前記複数の当接部は、前記原稿に当接する白色板を有し、
前記互いに隣接する２つの当接部のうち一方の前記当接部の前記白色板における他方の前記当接部側の端部は、テーパ部又は湾曲部を有しており、
前記他方の当接部の前記白色板における一方の前記当接部側の端部は、前記テーパ部又は前記湾曲部に沿って厚みが漸減する
ことを特徴とする請求項１から３のいずれか１項記載の画像読取装置。
【発明の詳細な説明】
【技術分野】
【０００１】
本発明は、原稿から画像情報を読取る画像読取装置に関する。
【背景技術】
【０００２】
従来、原稿押え板の開放時における原稿の巻き上げ等を防止するために、原稿押え板のコンタクトガラスに対向する面に、厚さが最大の中央部から周囲に向かって段階的又は連続的に厚さが薄くなる単一の弾性部材が配置された原稿押え装置が提案されている（例えば、特許文献１参照）。
【０００３】
また、中央部に厚さが最大の弾性部材が配置され、周辺部に向かうに従って厚さが段階的に薄くなるように複数の弾性部材が間隔をあけて断続的に配置された原稿押え装置も提案されている（例えば、特許文献１参照）。
【先行技術文献】
【特許文献】
【０００４】
【特許文献１】特開平５−２７３３９号公報
【発明の概要】
【発明が解決しようとする課題】
【０００５】
上述のように、中央部から周囲に向かって厚さが薄くなる単一の弾性部材又は複数の弾性部材は、各部の厚さの相違に起因して、原稿を全体に亘って押さえるのが困難である。これにより、周辺部の厚さが薄い部分では、原稿との間に隙間が生じるため、原稿からの画像情報の読取精度が低下する。更には、経時的に弾性部材の形状を維持できなくなるおそれもある。
【０００６】
また、上述のように、複数の弾性部材が間隔をあけて断続的に配置されていると、弾性部材間の隙間が影となるため、原稿からの画像情報の読取精度が低下する。
【０００７】
本発明の目的は、画像情報の読取精度を低下させずに、原稿を押さえる原稿押さえ部を退避させた際に生じる原稿のズレを抑制することができる画像読取装置を提供することである。
【課題を解決するための手段】
【０００８】
１つの態様では、画像読取装置は、原稿が載置される載置板を有する載置台と、前記載置板に載置された前記原稿を押さえる押さえ位置と当該押さえ位置から退避した退避位置とに移動する原稿押さえ部と、前記載置板を介して前記原稿へ光を照射するとともに前記載置板を介して前記原稿からの反射光を受光することで前記原稿から画像情報を読取る読取部とを備え、前記原稿押さえ部は、押さえ部本体と、当該押さえ部本体に取り付けられ前記原稿に当接する複数の当接部とを有し、前記原稿押さえ部が前記押さえ位置にあるとき、前記複数の当接部のうち互いに隣接する２つの当接部が、前記原稿に対向する方向でオーバーラップして、前記載置台と平行な面を形成し、前記複数の当接部のうち少なくとも１つの当接部は、前記原稿押さえ部が前記押さえ位置から前記退避位置へ移動する際に、前記押さえ部本体が所定量退避するまで移動を開始しないように前記押さえ部本体に対して移動可能に取り付けられている可動当接部である。
【発明の効果】
【０００９】
前記態様によれば、画像情報の読取精度を低下させずに、原稿を押さえる原稿押さえ部を退避させた際に生じる原稿のズレを抑制することができる。
【図面の簡単な説明】
【００１０】
【図１】一実施の形態に係る画像読取装置（原稿押さえ部が退避位置）を示す斜視図である。
【図２】一実施の形態に係る画像読取装置の制御構成を示す図である。
【図３】一実施の形態に係る画像読取装置（原稿押さえ部が押さえ位置）を示す左側面図である。
【図４】図３のＡ部拡大図である。
【図５】一実施の形態に係る画像読取装置（原稿押さえ部が押さえ位置から退避位置へ移動する途中）を示す左側面図である。
【図６】第１変形例に係る画像読取装置（原稿押さえ部が押さえ位置から退避位置へ移動する途中）を示す左側面図である。
【図７】第２変形例における図３のＡ部拡大図である。
【図８】第３変形例における図３のＡ部拡大図である。
【発明を実施するための形態】
【００１１】
以下、本発明の実施の形態に係る画像読取装置について、図面を参照しながら説明する。
【００１２】
図１は、一実施の形態に係る画像読取装置１（原稿押さえ部２０が退避位置Ｐ１）を示す斜視図である。
【００１３】
図２は、画像読取装置１の制御構成を示す図である。
図３は、画像読取装置１（原稿押さえ部２０が押さえ位置Ｐ１）を示す左側面図である。
【００１４】
図４は、図３のＡ部拡大図である。
なお、図１、図３、及び図４並びに後述する図５〜図８に示すＸ方向、Ｙ方向、及びＺ方向は、説明の便宜上の一例として付すものである。Ｘ方向及びＹ方向は、互いに直交する水平方向である。Ｚ方向は、鉛直方向である。そのため、Ｘ方向、Ｙ方向、及びＺ方向は、互いに直交する。
【００１５】
図１に示すように、画像読取装置１は、載置台１０と、原稿押さえ部２０とを備える。また、図２に示すように、画像読取装置１は、読取部３０と、センサ４０と、制御部５０と、記憶部６０と、インターフェース部７０とを更に備える。なお、画像読取装置１は、単体で用いられてもよいし、印刷装置の一部として、例えば印刷装置の上部に一体に設けられていてもよい。
【００１６】
図１及び図３に示す載置台１０は、上面に設けられた載置板１１を有する。この載置板１１には、二点鎖線（想像線）で示す原稿Ｍが載置される。載置板１１は、例えばガラス板であり、載置板１１の色は、後述する読取部３０から照射される光やその反射光を透過させるために透明である。
【００１７】
原稿押さえ部２０は、例えば、載置台１０に設けられたＹ方向に延びるヒンジを回動中心軸として回動することによって、載置板１１に載置された原稿Ｍを押さえる図３に示す押さえ位置Ｐ１と、この押さえ位置Ｐ１から退避した図１に示す退避位置Ｐ２とに移動（回動）する。
【００１８】
原稿押さえ部２０は、押さえ部本体２１と、可動当接部２２と、固定当接部２３，２４と、連結アーム２５，２６，２７とを有する。
【００１９】
可動当接部２２及び固定当接部２３，２４は、押さえ部本体２１に取り付けられ原稿Ｍに当接する複数の当接部の一例である。なお、本実施の形態では、載置板１１に対向する領域に可動当接部２２及び固定当接部２３，２４の計３つの当接部が配置されているが、当接部の数は、２つであっても、４つ以上であってもよい。詳しくは後述するが、可動当接部２２が押さえ部本体２１に移動可能に取り付けられているのに対し、固定当接部２３，２４は押さえ部本体２１に移動不能に取り付けられている。このように、複数の当接部のうちの一部の当接部が可動当接部２２であることが望ましいが、すべての当接部が可動当接部２２であってもよい。この場合には、原稿押さえ部２０が押さえ位置Ｐ１から退避位置Ｐ２に移動する際に、複数の可動当接部２２が互いに異なるタイミングで移動を開始する（原稿Ｍ又は載置板１１から離れる）とよい。
【００２０】
また、本実施の形態では、可動当接部２２及び固定当接部２３，２４は、原稿Ｍ（載置板１１）に対向する面の面積が約３等分ずつとなっているが、例えば可動当接部２２がＺ方向に長手方向を有する棒状で、固定当接部２３，２４に設けられた孔に挿入されていてもよく、可動当接部２２や固定当接部２３，２４の形状は特に制限されない。また、可動当接部２２の位置は、載置板１１の中央に対向すると、サイズが異なる複数種類の原稿Ｍを可動当接部２２が押さえやすくなるが、用紙Ｍが載置板１１の四つ角のうちの１つの角に位置合わせされる場合には、この位置合わせされる角の近傍に可動当接部２２が位置するとよい。また、可動当接部２２は、後述する空気Ａの影響を受けやすい、原稿押さえ部２０が開放する側（ヒンジとは反対側）に配置されていてもよい。
【００２１】
図３に示すように、可動当接部２２及び固定当接部２３，２４は、白色板２２ａ，２３ａ，２４ａと、弾性体２２ｂ，２３ｂ，２４ｂと、裏板２２ｃ，２３ｃ，２４ｃとを有する。
【００２２】
白色板２２ａ，２３ａ，２４ａは、可動当接部２２又は固定当接部２３，２４の底面に設けられ、原稿Ｍ又は載置板１１に当接する。
【００２３】
弾性体２２ｂ，２３ｂ，２４ｂは、例えばスポンジであり、白色板２２ａ，２３ａ，２４ａの上部に配置されている。
【００２４】
裏板２２ｃ，２３ｃ，２４ｃは、弾性体２２ｂ，２３ｂ，２４ｂの上部に配置され、可動当接部２２又は固定当接部２３，２４の上面を補強する。
【００２５】
図４（図３のＡ部拡大図）に示すように、固定当接部２３の白色板２３ａにおける可動当接部２２側の端部（図４における右端）は、可動当接部２２の白色板２２ａの上側（原稿Ｍ又は載置板１１とは反対側）に延びる湾曲部２３ａ−１を有する。なお、湾曲部２３ａ−１に代えて厚みが漸減するテーパ部が設けられていてもよい。
【００２６】
一方、可動当接部２２の白色板２２ａは、固定当接部２３の白色板２３ａの湾曲部２３ａ−１の下側に潜り込むように、固定当接部２３側の端部（図４における左端）が上記の湾曲部２３ａ−１又はテーパ部に沿って厚みが漸減する先細り部（テーパ部）２２ａ−１を有する。白色板２２ａの底面は、平面状であることが望ましいため、先細り部２２ａ−１は、湾曲部２３ａ−１に沿って設けられている場合には、固定当接部２３側の端部に向かって、底面側ではなく上面側が削られることで厚みが漸減することが望ましい。一方、先細り部２２ａ−１が固定当接部の白色板２３ａのテーパ部に沿って設けられている場合には、固定当接部２３側の端部に向かって、テーパ部が上面側で削られていれば底面側が削られるとよく、テーパ部が底面側で削られていれば上面側で削られているとよい。なお、固定当接部２４の白色板２４ａの可動当接部２２の側の端部（図３における左端）にも固定当接部２３の白色板２３ａの湾曲部２３ａ−１（又はテーパ部）と同様に湾曲部（又はテーパ部）が設けられ、可動当接部２２の白色板２２ａの固定当接部２４側の端部（図３における右端）にも先細り部２２ａ−１が設けられている。
【００２７】
これにより、原稿押さえ部２０が図３に示す押さえ位置Ｐ１にあるとき、可動当接部２２及び固定当接部２３，２４は、白色板２２ａの先細り部２２ａ−１及び白色板２３ａ，２４ａの湾曲部分２３ａ−１において、原稿Ｍに対向するＺ方向でオーバーラップして、載置台１０と平行な面を形成する。このように、白色板２２ａ，２３ａ，２４ａは、ＸＹ平面において隙間なく載置板１１に対向する。なお、例えば、固定当接部２３，２４が原稿Ｍ又は載置板１１に対して傾斜して配置されることで、可動当接部２２の上部に重なるようにしてもよい。或いは、原稿Ｍ又は載置板１１に対して傾斜していない固定当接部２３，２４が可動当接部２２の白色板２２ａに乗っかり弾性体２３ｂ，２４ｂが圧縮した状態で可動当接部２２の上部に重なるようにしてもよい。
【００２８】
なお、可動当接部２２の弾性体２２ｂ及び裏板２２ｃは、固定当接部２３，２４の白色板２３ａ，２４ａの湾曲部２３ａ−１が乗っかる部分では白色板２２ａの上部に位置しない。また、固定当接部２３，２４の弾性体２３ｂ，２４ｂは、白色板２３ａ，２４ａが湾曲部２３ａ−１を有するため、この湾曲部２３ａ−１の形状に合わせて、可動当接部２２側の端部（図４における右端）の下側部分が削られているとよい。
【００２９】
また、詳しくは後述するが、可動当接部２２は、原稿押さえ部２０が図３に示す押さえ位置Ｐ１から図１に示す退避位置Ｐ２に移動する際に、押さえ部本体２１及び固定当接部２３，２４が所定量退避するまで移動を開始しない。そのため、原稿押さえ部２０が押さえ位置Ｐ１にあるとき、可動当接部２２の白色板２２ａは、上述のように固定当接部２３，２４の白色板２３ａ，２４ａの湾曲部２３ａ−１，２４ａ−１の下方に潜り込むとよく、白色板２３ａ，２４ａの上部に位置しないことが望ましい。可動当接部２２の白色板２２ａが、固定当接部２３，２４の白色板２３ａ，２４ａの上部に位置する場合には、固定当接部２３，２４によって可動当接部２２が持ち上げられてしまうためである。
【００３０】
図３に示す連結アーム２５は、例えば棒状又は板状を呈する。連結アーム２５の下端である一端は、可動当接部２２（裏板２２ｃ）に移動不能に連結されている。連結アーム２５の上端である他端には、膨出部２５ａが設けられている。この膨出部２５ａは、連結アーム２５の他の部分よりも大径であるか又は幅が広い、例えば半球状、球状、又は板状を呈する。
【００３１】
膨出部２５ａは、押さえ部本体２１の内部に設けられた収容部２１ａに移動可能に収容されている。この収容部２１ａの底部には、収容口２１ｂが設けられている。この収容口２１ｂは、膨出部２５ａが収容部２１ａから脱落しないように、膨出部２５ａよりも小径であるか又は膨出部２５ａよりも幅が狭くなっている。
【００３２】
膨出部２５ａは、収容部２１ａ内でＺ方向に移動可能である。また、連結アーム２５は、連結アーム２５と収容口２１ｂとの隙間に応じた範囲で押さえ部本体２１に対する傾きが可変になっている。これにより、連結アーム２５に連結された可動当接部２２は、連結アーム２５を介して、押さえ部本体２１に対して移動可能に取り付けられている。すなわち、可動当接部２２（連結アーム２５）は、支点となる膨出部２５ａ（又は連結アーム２５の他の部分）と収容部２１ａ（又は収容口２１ｂ）との接触位置が可変であり、支点が固定されていないといえる。
【００３３】
また、膨出部２５ａが収容部２１ａ内でＺ方向に移動可能であるとともに、連結アーム２５の押さえ部本体２１に対する傾きが可変になっていることによって、可動当接部２２は、原稿押さえ部２０が図３に示す押さえ位置Ｐ１から図１に示す退避位置Ｐ２に移動する際に、図５に示すように膨出部２５ａの底部が収容部２１ａの底部に接触するまでは、押さえ部本体２１が連結アーム２５及び可動当接部２２を持ち上げず、可動当接部２２は移動しない。このように、可動当接部２２は、原稿押さえ部２０が図３に示す押さえ位置Ｐ１から図１に示す退避位置Ｐ２に移動する際に、押さえ部本体２１及び固定当接部２３，２４が所定量退避するまで移動を開始しない。
【００３４】
連結アーム２６，２７は、例えば棒状又は板状を呈する。連結アーム２６の下端である一端は、固定当接部２３，２４（裏板２３ｃ，２４ｃ）に移動不能に連結されている。連結アーム２６，２７の上端である他端は、収容部２１ａに移動不能に連結されている。
【００３５】
なお、連結アーム２５，２６，２７は、単一の可動当接部２２又は単一の固定当接部２３，２４に対して複数ずつ設けられていてもよい。可動当接部２２に対して複数の連結アーム２５が連結される場合には、連結アーム２５の膨出部２５ａを収容する収容部２１ａ及び収容口２１ｂが複数設けられるか、或いは単一の収容部２１ａに対して収容口２１ｂのみ複数設けられることになる。
【００３６】
また、固定当接部２３，２４については、裏板２３ｃ，２４ｃ及び連結アーム２６，２７が省略され、弾性体２３ｂ，２４ｂが押さえ部本体２１の底面に直接固定されていてもよい。但し、この場合には、例えば弾性体２３ｂ，２４ｂの厚さを厚くすることによって、原稿押さえ部２０が押さえ位置Ｐ１にあるとき、固定当接部２３，２４の白色板２３ａ，２４ａの底面が、可動当接部２２の白色板２２ａの底面とともに載置台１０と並行な面を形成するとよい。
【００３７】
また、可動当接部２２については、裏板２２ｃが省略され、白色板２２ａが直接的に連結アーム２５に連結されていてもよい。また、白色板２２ａ，２３ａ，２４ａが弾性を有する場合には、弾性体２２ｂ，２３ｂ，２４ｂが省略されてもよい。また、可動当接部２２及び固定当接部２３，２４は、白色板２２ａ，２３ａ，２４ａのみからなるものであってもよい。
【００３８】
図３に破線（かくれ線）で示す読取部３０は、載置台１０内に収容されている。読取部３０は、載置板１１を介して原稿Ｍへ光を照射するとともに載置板１１を介して原稿Ｍからの反射光を受光することで原稿Ｍから画像情報を読取る。
【００３９】
図２に示すセンサ４０は、原稿Ｍの大きさを検知するために、載置板１１における互いに異なる位置で原稿Ｍの有無を検知する複数のセンサを含む。また、センサ４０は、原稿Ｍの載置板１１上での傾きを検知するセンサや、原稿押さえ部２０の開閉状態を検知するセンサなどを含むとよい。
【００４０】
制御部５０は、画像読取装置１全体の動作を制御する演算処理装置として機能するプロセッサ（例えばＣＰＵ： Central Processing Unit）を有する。このプロセッサは、所定のプログラムを読み出して実行することによって、画像読取装置１の各部の動作を制御する。
【００４１】
記憶部６０は、例えば、所定のプログラムが予め記録されている読み出し専用半導体メモリであるＲＯＭ（Read Only Memory）、制御部５０が各種のプログラムを実行する際に必要に応じて作業用記憶領域として使用される随時書き込み読み出し可能な半導体メモリであるＲＡＭ（Random Access Memory）などである。
【００４２】
インターフェース部７０は、外部機器との間で各種の情報を授受する。
なお、画像読取装置１が印刷装置の一部として配置される場合には、印刷装置の筐体が載置台１０を兼ねてもよいし、また、印刷装置の制御部及び記憶部が制御部５０及び記憶部６０を兼ねてもよい。
【００４３】
また、画像読取装置１は、ユーザの操作情報の入力を受け付ける入力部や、入力操作のための表示画面などの各種情報を表示する表示部なども備えるとよい。
【００４４】
ところで、従来、図１に示すように、原稿押さえ部２０が退避位置Ｐ２に移動する際には、載置板１１上に負圧が発生し、空気Ａが流れ込む。本実施の形態では、この流れ込む空気Ａによって、原稿Ｍが浮き上がるのを防止するため、上述の図５に示すように、可動当接部２２は、原稿押さえ部２０が押さえ位置Ｐ１から退避位置Ｐ２へ移動する際に、押さえ部本体２１及び固定当接部２３，２４が所定量退避するまで移動を開始しないように押さえ部本体２１に対して移動可能に取り付けられている。
【００４５】
そのため、原稿押さえ部２０が一部開放して固定当接部２３，２４が原稿Ｍ（載置板１１）から離れることで、図１に示す空気Ａが載置板１１上（固定当接部２３，２４と載置板１１との間）に流れ込んできても、可動当接部２２が原稿Ｍ（載置板１１）に当接した状態を維持することで、原稿Ｍのズレを抑制することができる。
【００４６】
その後、原稿押さえ部２０が更に開放して可動当接部２２が原稿Ｍ（載置板１１）から離れる際には、既に固定当接部２３，２４と載置板１１との間に空気Ａが流れ込んでいるため、可動当接部２２と載置板１１との間に流れ込む空気Ａの量は少なく、原稿Ｍのズレは生じにくい。このように、可動当接部２２（白色板２２ａの底面）は、原稿押さえ部２０が押さえ位置Ｐ１にあるときには、固定当接部２３，２４（白色板２３ａ，２４ａの底面）とともに同一面をなして原稿Ｍを押さえる一方、原稿押さえ部２０が退避位置Ｐ２へ移動すると、同一面をなさない。
【００４７】
なお、原稿押さえ部２０が退避位置Ｐ２から押さえ位置Ｐ１へ移動する際には、図５に示すように、押さえ部本体２１が固定当接部２３，２４よりも早く原稿Ｍに当接するため、原稿押さえ部２０が押さえ位置Ｐ１へ移動する際の空気Ａの流出時（図１の矢印とは反対向き）においても、原稿Ｍが浮き上がるのを防止することができる。
【００４８】
図６は、本実施の形態の第１変形例に係る画像読取装置１−１（原稿押さえ部２０が押さえ位置Ｐ１から退避位置Ｐ２へ移動する途中）を示す左側面図である。
【００４９】
図６に示すように、連結アーム２５の下端に連結軸２５ｂが設けられた構成によって、可動当接部２２が連結アーム２５に回動可能に連結されているとよい。
【００５０】
一例ではあるが、連結軸２５ｂは、連結アーム２５に対して直交する長手方向（Ｙ方向）を有する。可動当接部２２は、連結軸２５ｂの例えば両端において連結軸２５ｂを回動可能に支持する一対の軸受を有する。
【００５１】
或いは、可動当接部２２に固定された回動不能な連結軸２５ｂを支持する軸受が連結アーム２５の下端に設けられていてもよい。この場合、連結軸２５ｂは、連結アーム２５の一部ではなく、可動当接部２２の一部となる。
【００５２】
これにより、図５に示すように膨出部２５ａの底部が収容部２１ａの底部に接触して連結アーム２５及び可動当接部２２が押さえ部本体２１によって持ち上げられるのよりも先に図６に示すように連結アーム２５の膨出部２５ａ以外の部分が収容口２１ｂに接触しても、連結アーム２５に対して可動当接部２２が回動可能であるため、可動当接部２２を持ち上げる力が可動当接部２２に加わるのを遅くすることができる。更には、連結軸２５ｂや軸受の自重によって、原稿押さえ部２０が押さえ位置Ｐ１に移動する際に、可動当接部２２が水平な状態で原稿Ｍに当接することができるとともに、原稿押さえ部２０が押さえ位置Ｐ１にあるとき、可動当接部２２が原稿Ｍを押圧する押圧力を高めることができる。なお、図６では、図５よりも、連結アーム２５を長手方向（Ｚ方向）に長く、且つ収容口２１ｂの幅を狭く示している。
【００５３】
図７は、本実施の形態の第２変形例における図３のＡ部拡大図である。
本第２変形例では、図４に示す可動当接部２２及び固定当接部２３に代えて、可動当接部８２及び固定当接部８３を例に説明する。なお、本第２変形例で述べる事項以外については、可動当接部８２及び固定当接部８３を上述の可動当接部２２及び固定当接部２３と同様にすることができる。そのため、可動当接部８２及び固定当接部８３は、可動当接部２２及び固定当接部２３と同様に、白色板８２ａ，８３ａと、弾性体８２ｂ，８３ｂと、裏板８２ｃ，８３ｃとを有する。
【００５４】
図７に示すように、固定当接部８３の白色板８３ａにおける可動当接部８２側の端部（図７における右端）は、可動当接部８２の白色板８２ａの上側（原稿Ｍ又は載置板１１とは反対側）に延びる折り曲げ部８３ａ−１を有する。この折り曲げ部８３ａ−１は、可動当接部８２側の端部に向かって、Ｘ方向からＺ方向へ垂直に屈曲した後、Ｚ方向からＸ方向へ垂直に屈曲した部分（Ｚ折り部分）である。
【００５５】
そのため、可動当接部８２の白色板８２ａの可動当接部８２側の端部（図７における左端）は、固定当接部８３の白色板８３ａの折り曲げ部８３ａ−１の下側に位置する。
【００５６】
これにより、原稿押さえ部２０が図３に示す押さえ位置Ｐ１にあるとき、可動当接部８２及び固定当接部８３（複数の当接部のうち互いに隣接する２つの当接部の一例）は、白色板８３ａの折り曲げ部８３ａ−１において、原稿Ｍに対向するＺ方向でオーバーラップする。
【００５７】
なお、もう一方の固定当接部２４の白色板２４ａにも同様の折り曲げ部が設けられるとよい。但し、固定当接部２４の白色板２４ａには上述の湾曲部が設けられていてもよい。
【００５８】
図８は、本実施の形態の第３変形例における図３のＡ部拡大図である。
本第３変形例では、図４に示す可動当接部２２及び固定当接部２３に代えて、可動当接部９２及び固定当接部９３を例に説明する。なお、本第３変形例で述べる事項以外については、可動当接部９２及び固定当接部９３を上述の可動当接部２２及び固定当接部２３と同様にすることができる。そのため、可動当接部９２及び固定当接部９３は、可動当接部２２及び固定当接部２３と同様に、白色板９２ａ，９３ａと、弾性体９２ｂ，９３ｂと、裏板９２ｃ，９３ｃとを有する。
【００５９】
図８に示すように、固定当接部９３の白色板９３ａにおける可動当接部９２側の端部（図８における右端）には、白色板９３ａと白色板９２ａとのＸＹ平面における隙間を埋める隙間用白色板９３ｄが設けられている。この隙間用白色板９３ｄの一部は、白色板９３ａの一部の上部に固定され、隙間用白色板９３ｄの他の一部は、隣接する可動当接部９２の白色板９２ａの一部に重なる。
【００６０】
これにより、原稿押さえ部２０が図３に示す押さえ位置Ｐ１にあるとき、可動当接部９２及び固定当接部９３（複数の当接部のうち互いに隣接する２つの当接部の一例）は、隙間用白色板９３ｄにおいて、原稿Ｍに対向するＺ方向でオーバーラップする。
【００６１】
なお、もう一方の固定当接部２４の白色板２４ａにも同様の隙間用白色板が設けられるとよい。但し、固定当接部２４の白色板２４ａには上述の湾曲部や折り曲げ部が設けられていてもよい。
【００６２】
以上説明した本実施の形態では、画像読取装置１は、原稿Ｍが載置される載置板１１を有する載置台１０と、載置板１１に載置された原稿Ｍを押さえる押さえ位置Ｐ１と当該押さえ位置Ｐ１から退避した退避位置Ｐ２とに移動する原稿押さえ部２０と、載置板１１を介して原稿Ｍへ光を照射するとともに載置板１１を介して原稿Ｍからの反射光を受光することで原稿Ｍから画像情報を読取る読取部３０とを備える。原稿押さえ部２０は、押さえ部本体２１と、この押さえ部本体２１に取り付けられ原稿Ｍに当接する複数の当接部の一例である可動当接部２２及び固定当接部２３，２４とを有する。原稿押さえ部２０が押さえ位置Ｐ１にあるとき、可動当接部２２及び固定当接部２３，２４のうち互いに隣接する２つの当接部が、原稿Ｍに対向するＺ方向に互いにオーバーラップして載置台１０と平行な面を形成する。可動当接部２２及び固定当接部２３，２４のうち少なくとも１つの当接部は、原稿押さえ部２０が押さえ位置Ｐ１から退避位置Ｐ２へ移動する際に、押さえ部本体２１が所定量退避するまで移動を開始しないように押さえ部本体２１に対して移動可能に取り付けられている可動当接部２２である。
【００６３】
このように、原稿押さえ部２０が押さえ位置Ｐ１にあるとき、可動当接部２２及び固定当接部２３，２４のうち互いに隣接する２つの当接部が原稿Ｍに対向するＺ方向でオーバーラップすることによって、互いに隣接する２つの当接部間の隙間が影となって読取部３０の画像情報の読取精度が低下するのを抑制することができる。また、押さえ部２０が押さえ位置Ｐ１から退避位置Ｐ２へ移動する際に、押さえ部本体２１が所定量退避するまで移動を開始しないように押さえ部本体２１に対して移動可能に取り付けられているため、原稿押さえ部２０が一部開放して、固定当接部２３，２４が原稿Ｍ（載置板１１）から離れることで図１に示す空気Ａが載置板１１上に流れ込んできても、可動当接部２２が原稿Ｍ（載置板１１）に当接した状態を維持することで、原稿Ｍのズレを抑制することができる。よって、本実施の形態によれば、画像情報の読取精度を低下させずに、原稿押さえ部２０を退避させた際に生じる原稿Ｍのズレを抑制することができる。更には、原稿押さえ部２０が退避位置Ｐ２から押さえ位置Ｐ１へ移動する際に、押さえ部本体２１が固定当接部２３，２４よりも先に原稿Ｍに当接する場合には、載置板１１上からの空気Ａの流出に起因する原稿Ｍのズレを抑制することもできる。
【００６４】
また、本実施の形態では、原稿押さえ部２０は、一端を可動当接部２２に連結された連結アーム２５を更に有し、この連結アーム２５の他端には、膨出部２５ａが設けられている。押さえ部本体２１には、膨出部２５ａを移動可能に収容する収容部２１ａが設けられている。そのため、可動当接部２２に連結された連結アーム２５の膨出部２５ａが押さえ部本体２１の収容部２１ａに収容された簡素な構成で、可動当接部２２を押さえ部本体２１に対して移動可能に取り付けることができる。
【００６５】
また、本実施の形態では、可動当接部２２は、連結アーム２５の一端に回動可能に連結されている。これにより、図５に示すように膨出部２５ａの底部が収容部２１ａの底部に接触して連結アーム２５及び可動当接部２２が押さえ部本体２１によって持ち上げられるのよりも先に、図６に示すように連結アーム２５の膨出部２５ａ以外の部分が収容部２１ａに接触する場合などに、連結アーム２５に対して可動当接部２２が回動可能であるため、可動当接部２２を持ち上げる力が可動当接部２２に加わるのを遅くすることができる。
【００６６】
また、本実施の形態では、複数の当接部の一例である可動当接部２２及び固定当接部２３，２４は、原稿Ｍに当接する白色板２２ａ，２３ａ，２４ａを有し、互いに隣接する２つの当接部のうち図４に示す固定当接部２３（一方の当接部の一例）の白色板２３ａにおける可動当接部２２（他方の当接部の一例）側の端部は、テーパ部又は湾曲部２３ａ−１を有する。また、可動当接部２２の白色板２２ａにおける固定当接部２３側の端部は、テーパ部又は湾曲部２３ａ−１に沿って厚みが漸減する（先細り部２２ａ−１）。これにより、互いに隣接する２つの当接部間のＸＹ平面における隙間が影となって読取部３０の画像情報の読取精度が低下するのを抑制することができるのに加えて、テーパ部又は湾曲部２３ａ−１が設けられることに起因して固定当接部２３と原稿Ｍ（又は載置板１１）との間にＺ方向の隙間が生じるのも抑制することができる。
【００６７】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００６８】
［付記１］
原稿が載置される載置板を有する載置台と、
前記載置板に載置された前記原稿を押さえる押さえ位置と当該押さえ位置から退避した退避位置とに移動する原稿押さえ部と、
前記載置板を介して前記原稿へ光を照射するとともに前記載置板を介して前記原稿からの反射光を受光することで前記原稿から画像情報を読取る読取部とを備え、
前記原稿押さえ部は、押さえ部本体と、当該押さえ部本体に取り付けられ前記原稿に当接する複数の当接部とを有し、
前記原稿押さえ部が前記押さえ位置にあるとき、前記複数の当接部のうち互いに隣接する２つの当接部が、前記原稿に対向する方向でオーバーラップして、前記載置台と平行な面を形成し、
前記複数の当接部のうち少なくとも１つの当接部は、前記原稿押さえ部が前記押さえ位置から前記退避位置へ移動する際に、前記押さえ部本体が所定量退避するまで移動を開始しないように前記押さえ部本体に対して移動可能に取り付けられている可動当接部である
ことを特徴とする画像読取装置。
［付記２］
前記原稿押さえ部は、一端を前記可動当接部に連結された連結アームを更に有し、
前記連結アームの他端には、膨出部が設けられ、
前記押さえ部本体には、前記膨出部を移動可能に収容する収容部が設けられている
ことを特徴とする付記１記載の画像読取装置。
［付記３］
前記可動当接部は、前記連結アームの前記一端に回動可能に連結されている
ことを特徴とする付記２記載の画像読取装置。
［付記４］
前記複数の当接部は、前記原稿に当接する白色板を有し、
前記互いに隣接する２つの当接部のうち一方の前記当接部の前記白色板における他方の前記当接部側の端部は、テーパ部又は湾曲部を有しており、
前記他方の当接部の前記白色板における一方の前記当接部側の端部は、前記テーパ部又は前記湾曲部に沿って厚みが漸減する
ことを特徴とする付記１から３のいずれか記載の画像読取装置。
【符号の説明】
【００６９】
１  画像読取装置
１０  載置台
１１  載置板
２０  原稿押さえ部
２１  押さえ部本体
２１ａ  収容部
２１ｂ  収容口
２２  可動当接部
２３，２４  固定当接部
２２ａ，２３ａ，２４ａ  白色板
２２ａ−１  先細り部
２３ａ−１  湾曲部
２２ｂ，２３ｂ，２４ｂ  弾性体
２２ｃ，２３ｃ，２４ｃ  裏板
２５，２６，２７  連結アーム
２５ａ  膨出部
２５ｂ  連結軸
３０  読取部
４０  センサ
５０  制御部
６０  記憶部
７０  インターフェース部
８２，９２  可動当接部
８３，９３  固定当接部
８２ａ，８３ａ，９２ａ，９３ａ  白色板
８３ａ−１  折り曲げ部
８２ｂ，８３ｂ，９２ｂ，９３ｂ  弾性体
８２ｃ，８３ｃ，９２ｃ，９３ｃ  裏板
９３ｄ  隙間用白色板
Ａ  空気
Ｍ  原稿
【図１】
2020017896.tif 000003
【図２】
2020017896.tif 000004
【図３】
2020017896.tif 000005
【図４】
2020017896.tif 000006
【図５】
2020017896.tif 000007
【図６】
2020017896.tif 000008
【図７】
2020017896.tif 000009
【図８】
2020017896.tif 000010